(57)【要約】【課題】写真プリントの仕上がり予定時刻をより好適に通知することができるプリント情報通知システム及びこれに適用されるプリント情報送信装置を提供する。【解決手段】プリント情報送信装置３の送信条件設定部３２において、写真プリントの仕上がり予定時刻に関する情報を送信する条件（送信タイミング又は送信先など）を設定する。これにより、所望の条件で仕上がり予定時刻に関する情報を送信することができるので、注文者の要求に応じた条件で、写真プリントの仕上がり予定時刻をより好適に通知することができる。【選択図】          図１
2010102648.tif 000002
【特許請求の範囲】
【請求項１】
注文を受け付けた写真プリントの作成に関する情報を通知するためのプリント情報通知システムであって、
写真プリントの仕上がり予定時刻に関する情報を送信するプリント情報送信装置と、
上記プリント情報送信装置から上記仕上がり予定時刻に関する情報を受信して通知するためのプリント情報受信装置とを備え、
上記プリント情報送信装置が、上記仕上がり予定時刻に関する情報を送信する条件を設定するための送信条件設定手段を備えたことを特徴とするプリント情報通知システム。
【請求項２】
上記送信条件設定手段が、上記仕上がり予定時刻に関する情報を送信するタイミングを設定するための送信タイミング設定手段を含むことを特徴とする請求項１に記載のプリント情報通知システム。
【請求項３】
上記プリント情報送信装置が、上記送信タイミング設定手段により設定されたタイミングに対応する上記仕上がり予定時刻までの残り時間を送信することを特徴とする請求項２に記載のプリント情報通知システム。
【請求項４】
上記送信条件設定手段が、上記仕上がり予定時刻に関する情報の送信先を設定する送信先設定手段を含むことを特徴とする請求項１〜３のいずれかに記載のプリント情報通知システム。
【請求項５】
上記送信条件設定手段が、注文者による写真プリントの注文時に、当該注文者からの設定を受付可能であることを特徴とする請求項１〜４のいずれかに記載のプリント情報通知システム。
【請求項６】
上記プリント情報受信装置が、上記プリント情報送信装置に対して情報を送信可能であり、
上記送信条件設定手段が、上記プリント情報受信装置から受信する情報に基づいて設定を受付可能であることを特徴とする請求項１〜５のいずれかに記載のプリント情報通知システム。
【請求項７】
注文を受け付けた写真プリントの作成に関する情報を送信するためのプリント情報送信装置であって、
写真プリントの仕上がり予定時刻に関する情報を送信するプリント情報送信手段と、
上記仕上がり予定時刻に関する情報を送信する条件を設定するための送信条件設定手段とを備えたことを特徴とするプリント情報送信装置。
【発明の詳細な説明】
【技術分野】
【０００１】
本発明は、注文を受け付けた写真プリントの作成に関する情報を通知するためのプリント情報通知システム及びこれに適用されるプリント情報送信装置に関するものである。
【背景技術】
【０００２】
従来から、写真店においては、写真プリントの注文を受け付けた時に、その写真プリントの仕上がり予定時刻として大まかな時刻を注文者に通知する場合がある。しかし、注文を受けた時点で正確な仕上がり予定時刻を予想することは困難であるため、通知された時刻に注文者が写真店に戻ってきても、まだ写真プリントが仕上がっていなかったり、仕上がってから時間が随分経過していたりする場合がある。
【０００３】
そこで、写真プリントの注文を受け付ける際に、注文者が所持している携帯電話機の番号やメールアドレスなどの連絡先を確認しておき、写真プリントが仕上がった時点でその連絡先に通知するといったサービスが考えられる。しかし、このようなサービスであっても、注文者が通知を受けてから写真店に戻るまでの時間が無駄であり、その間、写真店における写真プリントのストックが多くなってしまうという問題がある。特に、注文者が写真店から離れた場所に移動している場合などには、注文者が写真店に戻るまでの時間が長くなってしまうため、上記のような問題がより顕著になる。
【０００４】
また、下記特許文献１には、写真プリントの作成に関する進捗状況を、問い合わせ（識別番号の送信）に応じてネットワークを介してリアルタイムで送信するといったサービスが開示されている。このようなサービスによれば、注文者が適当なタイミングで問い合わせを行い、進捗状況を確認することにより、写真プリントのより正確な仕上がり予定時刻に合わせて写真店に戻ることができる。
【０００５】
【特許文献１】特開２００６−３３１１７４号公報
【発明の開示】
【発明が解決しようとする課題】
【０００６】
しかしながら、上記特許文献１に開示されているようなサービスでは、注文者が頻繁に問い合わせを行わなければ、写真プリントのより正確な仕上がり予定時刻をタイミングよく確認することができないため、注文者にとって確認作業が煩雑である。
【０００７】
また、注文者によっては、当該注文者とは異なる者に写真プリントを受け取ってもらう場合などがあり、そのような場合には、当該注文者とは異なる特定の通知先に仕上がり予定時刻を通知するよう設定したい場合もある。
【０００８】
本発明は、上記実情に鑑みてなされたものであり、写真プリントの仕上がり予定時刻をより好適に通知することができるプリント情報通知システム及びこれに適用されるプリント情報送信装置を提供することを目的とする。
【課題を解決するための手段】
【０００９】
第１の本発明に係るプリント情報通知システムは、注文を受け付けた写真プリントの作成に関する情報を通知するためのプリント情報通知システムであって、写真プリントの仕上がり予定時刻に関する情報を送信するプリント情報送信装置と、上記プリント情報送信装置から上記仕上がり予定時刻に関する情報を受信して通知するためのプリント情報受信装置とを備え、上記プリント情報送信装置が、上記仕上がり予定時刻に関する情報を送信する条件を設定するための送信条件設定手段を備えたことを特徴とする。
【００１０】
このような構成によれば、プリント情報送信装置において写真プリントの仕上がり予定時刻に関する情報を送信する条件を設定することにより、所望の条件で仕上がり予定時刻に関する情報を送信することができる。これにより、注文者の要求に応じた条件で、写真プリントの仕上がり予定時刻をより好適に通知することができる。
【００１１】
第２の本発明に係るプリント情報通知システムは、上記送信条件設定手段が、上記仕上がり予定時刻に関する情報を送信するタイミングを設定するための送信タイミング設定手段を含むことを特徴とする。
【００１２】
このような構成によれば、プリント情報送信装置において写真プリントの仕上がり予定時刻に関する情報を送信するタイミングを設定することにより、所望のタイミングで仕上がり予定時刻に関する情報を送信することができる。したがって、例えば注文者が写真店の近くにいる予定であれば、上記タイミングを仕上がり予定時刻よりも少しだけ早く設定し、写真店から離れた場所に移動する予定であれば、上記タイミングを仕上がり予定時刻よりもある程度早く設定することにより、写真店に到着するまでに要する時間に合わせたタイミングで仕上がり予定時刻に関する情報を送信することができる。
【００１３】
これにより、煩雑な確認作業を行うことなく、仕上がり予定時刻をタイミングよく確認することができるので、利便性が向上する。また、写真プリントが仕上がってから受け取りが完了するまでの時間を短縮化することができるので、写真店における写真プリントのストックを減らすことができる。したがって、写真店において、仕上がった複数の写真プリントの中から所望の写真プリントを探す作業を容易にすることができる。また、仕上がった写真プリントを自動受け渡し装置により自動で受け渡す場合などには、自動受け渡し装置にストックする写真プリントの数をできるだけ少なくすることが好ましいが、このような場合であっても、本発明によれば写真プリントのストックを減らすことができるので、自動受け渡し装置を用いたサービスにも好適に適用することができる。
【００１４】
第３の本発明に係るプリント情報通知システムは、上記プリント情報送信装置が、上記送信タイミング設定手段により設定されたタイミングに対応する上記仕上がり予定時刻までの残り時間を送信することを特徴とする。
【００１５】
このような構成によれば、仕上がり予定時刻までの残り時間により、仕上がり予定時刻を分かりやすく通知することができる。
【００１６】
第４の本発明に係るプリント情報通知システムは、上記送信条件設定手段が、上記仕上がり予定時刻に関する情報の送信先を設定する送信先設定手段を含むことを特徴とする。
【００１７】
このような構成によれば、プリント情報送信装置において写真プリントの仕上がり予定時刻に関する情報の送信先を設定することにより、所望の送信先に仕上がり予定時刻に関する情報を送信することができる。したがって、例えば注文者とは異なる者に写真プリントを受け取ってもらう場合などであっても、その注文者とは異なる特定の通知先を送信先として設定しておくことにより、当該特定の通知先に対して通知を行うことができる。
【００１８】
第５の本発明に係るプリント情報通知システムは、上記送信条件設定手段が、注文者による写真プリントの注文時に、当該注文者からの設定を受付可能であることを特徴とする。
【００１９】
このような構成によれば、注文者が写真プリントの注文を行う際に、その写真プリントの仕上がり予定時刻に関する情報を送信する条件を設定することができる。したがって、写真プリントの注文時に、その後の予定に合わせて所望の条件を設定することができるので、写真プリントの仕上がり予定時刻をより好適に通知することができる。
【００２０】
第６の本発明に係るプリント情報通知システムは、上記プリント情報受信装置が、上記プリント情報送信装置に対して情報を送信可能であり、上記送信条件設定手段が、上記プリント情報受信装置から受信する情報に基づいて設定を受付可能であることを特徴とする。
【００２１】
このような構成によれば、プリント情報受信装置からプリント情報送信装置に対して、写真プリントの仕上がり予定時刻に関する情報を送信する条件を設定することができる。したがって、例えば写真プリントの注文後に予定が変更になった場合のように、仕上がり予定時刻に関する情報を送信する条件を変更する必要が生じた場合であっても、プリント情報受信装置から容易に当該条件を変更することができるので、利便性が向上する。
【００２２】
第７の本発明に係るプリント情報送信装置は、注文を受け付けた写真プリントの作成に関する情報を送信するためのプリント情報送信装置であって、写真プリントの仕上がり予定時刻に関する情報を送信するプリント情報送信手段と、上記仕上がり予定時刻に関する情報を送信する条件を設定するための送信条件設定手段とを備えたことを特徴とする。
【００２３】
このような構成によれば、第１の本発明に係るプリント情報通知システムと同様の効果を奏するプリント情報送信装置を提供することができる。
【発明の効果】
【００２４】
本発明によれば、プリント情報送信装置において写真プリントの仕上がり予定時刻に関する情報を送信する条件を設定することにより、所望の条件で仕上がり予定時刻に関する情報を送信することができるので、注文者の要求に応じた条件で、写真プリントの仕上がり予定時刻をより好適に通知することができる。
【発明を実施するための最良の形態】
【００２５】
図１は、本発明の一実施形態に係るプリント情報通知システムの一例を示したブロック図である。このプリント情報通知システムは、注文を受けた写真プリントの作成に関する情報を通知するためのシステムであって、受付端末装置１、プリント装置２、プリント情報送信装置３及び携帯端末装置４などが備えられている。受付端末装置１、プリント装置２及びプリント情報送信装置３は、例えば写真店などの店舗に設置される。
【００２６】
受付端末装置１は、プリントサービスを利用する注文者による操作を受け付けるための装置であり、データ入力部１１及び操作部１２などを備えている。注文者は、データ入力部１１に画像データが記憶されているメディア（例えば、ＳＤカードやメモリスティックなど）をセットすることにより、当該メディアから画像データを読み込むことができるようになっている。ただし、データ入力部１１としては、例えばデジタルカメラを直接接続する構成や、無線通信により画像データを読み込む構成など、他の各種構成を採用することができる。
【００２７】
注文者は、操作部１２を操作することにより、データ入力部１１から入力した画像データのプリント注文を行うことができる。具体的には、データ入力部１１から入力した画像データの中から写真プリントを作成する画像データを選択する操作や、プリント部数を選択する操作、各種画像補正を行うための操作などを操作部１２の操作により行うことができる。写真プリントを作成する画像データとして注文者により選択された１つ又は複数の画像データは、１つのオーダとしてプリント装置２に入力される。
【００２８】
ただし、プリント注文する画像データは、受付端末装置１を介してプリント装置２に入力されるような構成に限られない。例えば、画像データが記憶されたＣＤ−Ｒなどの記憶媒体を注文者が写真店に持ち込むことにより、当該記憶媒体からプリント装置２に画像データが読み込まれるような構成であってもよいし、注文者がネットワークを介して送信した画像データが、プリント装置２に入力されるような構成であってもよい。また、現像済み写真フィルムのコマ画像をスキャナー装置で読み取ることにより得られた画像データが、プリント装置２に入力されるような構成であってもよい。
【００２９】
プリント装置２は、入力された画像データに基づく画像を用紙にプリントすることにより写真プリントを作成するための装置である。当該プリント装置２が用紙に画像をプリントする方式としては、例えばインクジェット式、熱転写式、レーザー式又は銀塩式などの各種方式を採用することができる。
【００３０】
プリント装置２により作成された写真プリントは、検品された後、オーダごとにストックされ、写真店へ受け取りに来た注文者などに手渡される。ただし、作成された写真プリントは、店頭で手渡しされるような構成に限らず、オーダごとにストックされている写真プリントを無人運転により受け渡し可能な自動受け渡し装置を用いて、所定の操作に基づいて自動で受け渡されるような構成であってもよい。
【００３１】
本実施形態では、写真プリントの仕上がり予定時刻に関する情報をプリント情報送信装置３から携帯端末装置４に送信することにより、携帯端末装置４を介して仕上がり予定時刻を注文者などに通知することができるようになっている。上記仕上がり予定時刻は、オーダごとに異なる時刻であって、例えば各オーダについて全ての写真プリントの検品が終了する時刻などのように、各オーダの写真プリントを受け取り可能な時刻である。注文者は、写真プリントの注文時に受付端末装置１の操作部１２を操作することにより、注文した写真プリントの仕上がり予定時刻に関する情報をプリント情報送信装置３から送信するタイミング（送信タイミング）や、当該仕上がり予定時刻に関する情報の送信先などに関する情報を入力することができるようになっている。
【００３２】
プリント情報送信装置３は、操作部３１、送信条件設定部３２、通信部３３及び送信条件記憶部３４などを備えている。操作部３１は、写真店の店員がプリント情報送信装置３に対する操作を行うためのものであり、例えば各オーダの正確な仕上がり予定時刻が確定した時点で、操作部３１を操作することにより、その仕上がり予定時刻を入力することができる。ここで、各オーダの正確な仕上がり予定時刻が確定した時点とは、例えば各オーダのプリント開始時であってもよいし、プリント終了時（検品前）などであってもよい。ただし、仕上がり予定時刻は、プリント情報送信装置３の操作部３１を操作することにより入力されるような構成に限らず、例えばプリント装置２からの入力信号に基づいて決定されるような構成であってもよい。
【００３３】
送信条件設定部３２は、仕上がり予定時刻に関する情報を送信する条件を設定するための送信条件設定手段であり、送信タイミング設定部３２１及び送信先設定部３２２を備えている。当該送信条件設定部３２は、受付端末装置１の操作部１２を用いて入力された情報に基づいて仕上がり予定時刻に関する情報を送信する条件を設定することができ、この例では、注文者が写真プリントの注文時に受付端末装置１の操作部１２を操作することにより、当該注文時に注文者からの設定を受付可能である。
【００３４】
送信タイミング設定部３２１は、受付端末装置１の操作部１２を用いて入力された送信タイミングに関する情報に基づいて、送信タイミングとしての時刻を決定し、その送信タイミングを各オーダに対応付けて送信条件記憶部３４に記憶することにより、送信タイミングを設定する。より具体的には、上記送信タイミングは、受付端末装置１の操作部１２を用いて入力された送信タイミングに関する情報と、プリント情報送信装置３の操作部３１を用いて入力された仕上がり予定時刻とに基づいて決定される。例えば、受付端末装置１の操作部１２を用いて仕上がり予定時刻を「５分前」に送信するよう入力されるとともに、プリント情報送信装置３の操作部３１を用いて仕上がり予定時刻が「１２：００」と入力された場合には、「１２：００」の「５分前」である「１１：５５」が送信タイミングとして決定される。
【００３５】
送信先設定部３２２は、受付端末装置１の操作部１２を用いて入力された送信先に関する情報に基づいて、その送信先を各オーダに対応付けて送信条件記憶部３４に記憶することにより、送信先を設定する。この例では、注文者が受付端末装置１の操作部１２を用いてメールアドレスを入力することにより、送信先としてメールアドレスを設定することができるようになっている。ただし、送信先は、メールアドレスに限らず、携帯電話機の番号などの他の送信先であってもよい。
【００３６】
通信部３３は、通信回線５に接続されており、当該通信回線５を介する有線又は無線の通信により、送信先としての携帯端末装置４と通信可能となっている。当該携帯端末装置４は、注文者が所持していてもよいし、注文者が写真プリントの受け取りを依頼した者など、注文者とは異なる者が所持していてもよい。当該携帯端末装置４は、プリント情報送信装置３からの情報を受信可能なプリント情報受信装置であり、例えば携帯電話機により構成することができる。ただし、上記プリント情報受信装置としては、携帯電話機に限らず、例えばノートパソコンやＰＤＡ(Personal Digital Assistant)などの他の携帯端末装置であってもよいし、デスクトップパソコンなどの端末装置であってもよい。
【００３７】
プリント情報送信装置３は、送信条件記憶部３４に記憶されている条件に基づいて、オーダごとに、設定された送信先に設定された送信タイミングで仕上がり予定時刻に関する情報を送信する。本実施形態では、設定された送信タイミングに対応する仕上がり予定時刻までの残り時間が送信されるようになっている。例えば、受付端末装置１の操作部１２を用いて仕上がり予定時刻を「５分前」に送信するよう入力された場合には、「５分前」という残り時間が送信されるようになっている。ただし、仕上がり予定時刻までの残り時間を送信するような構成に限らず、例えば「午後１時３０分」のように仕上がり予定時刻を送信するような構成であってもよいし、仕上がり予定時刻と当該仕上がり予定時刻までの残り時間の両方を送信するような構成であってもよい。
【００３８】
本実施形態では、通信回線５を介する有線又は無線の通信により、携帯端末装置４からプリント情報送信装置３に対して情報を送信可能となっている。これにより、携帯端末装置４を操作して送信タイミング又は送信先などに関する情報を入力し、当該携帯端末装置４からプリント情報送信装置３に送信することができるようになっている。プリント情報送信装置３の送信条件設定部３２は、携帯端末装置４から受信する情報に基づいて設定を受付可能であり、受信した送信タイミング又は送信先などの情報を各オーダに対応付けて送信条件記憶部３４に記憶させることができる。
【００３９】
図２は、写真プリントの注文時に受付端末装置１を用いて送信タイミング又は送信先に関する情報が入力される場合のプリント情報送信装置３による処理の一例を示したフローチャートである。受付端末装置１により写真プリントの注文を受け付けた場合には（ステップＳ１０１でＹｅｓ）、その注文時に受付端末装置１を用いて送信先又は送信タイミングに関する情報が入力されたか否かが判定される（ステップＳ１０２，Ｓ１０４）。
【００４０】
写真プリントの注文時に受付端末装置１を用いて送信先に関する情報が入力された場合には（ステップＳ１０２でＹｅｓ）、注文された写真プリントのオーダに対応付けて、入力された送信先が送信条件記憶部３４に記憶されることにより、送信先が設定される（ステップＳ１０３）。
【００４１】
写真プリントの注文時に受付端末装置１を用いて送信タイミングに関する情報が入力された場合には（ステップＳ１０４でＹｅｓ）、その後に写真プリントの作成が開始された当該オーダの正確な仕上がり予定時刻が確定し、プリント情報送信装置３の操作部３１を用いて仕上がり予定時刻が入力された時点で（ステップＳ１０５でＹｅｓ）、その入力された仕上がり予定時刻と受付端末装置１の操作部１２を用いて入力された送信タイミングに関する情報とに基づいて、送信タイミングとしての時刻が決定される。そして、当該送信タイミングがオーダに対応付けて送信条件記憶部３４に記憶されることにより、送信タイミングが設定される（ステップＳ１０６）。
【００４２】
図３は、携帯端末装置４を用いて送信タイミング又は送信先に関する情報が入力される場合のプリント情報送信装置３による処理の一例を示したフローチャートである。携帯端末装置４から情報を受信した場合には（ステップＳ２０１でＹｅｓ）、その情報が送信先又は送信タイミングに関する情報であるか否かが判定される（ステップＳ２０２，Ｓ２０４）。なお、送信先又は送信タイミングに関する情報が携帯端末装置４からプリント情報送信装置３に送信される場合には、当該情報が対応するオーダを特定する情報とともに送信されるようになっている。このとき、パスワードなどを用いた個人認証が行われるようになっていてもよい。
【００４３】
携帯端末装置４から受信した情報が送信先に関する情報である場合には（ステップＳ２０２でＹｅｓ）、特定された写真プリントのオーダに対応付けて、受信した送信先が送信条件記憶部３４に記憶されることにより、送信先が設定される（ステップＳ２０３）。このとき、当該写真プリントの注文時に送信先の設定が行われていなければ、そのオーダに対応付けて新たに送信先が記憶され、注文時に送信先の設定が行われていれば、そのオーダに対応付けて送信先が上書き保存されるようになっている。
【００４４】
携帯端末装置４から受信した情報が送信タイミングに関する情報である場合には（ステップＳ２０４でＹｅｓ）、特定された写真プリントのオーダの正確な仕上がり予定時刻が確定し、プリント情報送信装置３の操作部３１を用いて仕上がり予定時刻が入力された時点で（ステップＳ２０５でＹｅｓ）、その入力された仕上がり予定時刻と携帯端末装置４から受信した送信タイミングに関する情報とに基づいて、送信タイミングとしての時刻が決定される。そして、当該送信タイミングがオーダに対応付けて送信条件記憶部３４に記憶されることにより、送信タイミングが設定される（ステップＳ２０６）。このとき、当該写真プリントの注文時に送信タイミングの設定が行われていなければ、そのオーダに対応付けて新たに送信タイミングが記憶され、注文時に送信タイミングの設定が行われていれば、そのオーダに対応付けて送信タイミングが上書き保存されるようになっている。
【００４５】
図４は、送信タイミングとなったときのプリント情報送信装置３による処理の一例を示したフローチャートである。プリント情報送信装置３は、送信条件記憶部３４に記憶されている各オーダの送信タイミングの情報に基づいて、各オーダが送信タイミングとなるか否かを監視している（ステップＳ３０１）。
【００４６】
いずれかのオーダが送信タイミングとなった場合には（ステップＳ３０１でＹｅｓ）、そのオーダに対応付けて送信条件記憶部３４に記憶されている送信先が読み出され（ステップＳ３０２）、その送信先に当該送信タイミングに対応する残り時間が送信され（ステップＳ３０３）、これにより仕上がり予定時刻が通知される。例えば、送信タイミングが仕上がり予定時刻の「５分前」である場合には、「５分前」という残り時間が送信されることにより、５分後が仕上がり予定時刻である旨が通知される。
【００４７】
本実施形態では、プリント情報送信装置３において写真プリントの仕上がり予定時刻に関する情報を送信する条件を設定することにより、所望の条件で仕上がり予定時刻に関する情報を送信することができる。これにより、注文者の要求に応じた条件で、写真プリントの仕上がり予定時刻をより好適に通知することができる。
【００４８】
また、本実施形態では、プリント情報送信装置３において写真プリントの仕上がり予定時刻に関する情報を送信するタイミングを設定することにより、所望のタイミングで仕上がり予定時刻に関する情報を送信することができる。したがって、例えば注文者が写真店の近くにいる予定であれば、上記タイミングを仕上がり予定時刻よりも少しだけ早く設定し、写真店から離れた場所に移動する予定であれば、上記タイミングを仕上がり予定時刻よりもある程度早く設定することにより、写真店に到着するまでに要する時間に合わせたタイミングで仕上がり予定時刻に関する情報を送信することができる。
【００４９】
これにより、煩雑な確認作業を行うことなく、仕上がり予定時刻をタイミングよく確認することができるので、利便性が向上する。また、写真プリントが仕上がってから受け取りが完了するまでの時間を短縮化することができるので、写真店における写真プリントのストックを減らすことができる。したがって、写真店において、仕上がった複数の写真プリントの中から所望の写真プリントを探す作業を容易にすることができる。また、仕上がった写真プリントを自動受け渡し装置により自動で受け渡す場合などには、自動受け渡し装置にストックする写真プリントの数をできるだけ少なくすることが好ましいが、このような場合であっても、本実施形態によれば写真プリントのストックを減らすことができるので、自動受け渡し装置を用いたサービスにも好適に適用することができる。
【００５０】
特に、本実施形態では、仕上がり予定時刻までの残り時間により、仕上がり予定時刻を分かりやすく通知することができる。
【００５１】
また、本実施形態では、プリント情報送信装置３において写真プリントの仕上がり予定時刻に関する情報の送信先を設定することにより、所望の送信先に仕上がり予定時刻に関する情報を送信することができる。したがって、例えば注文者とは異なる者に写真プリントを受け取ってもらう場合などであっても、その注文者とは異なる特定の通知先を送信先として設定しておくことにより、当該特定の通知先に対して通知を行うことができる。
【００５２】
図２を用いて説明したように、本実施形態では、注文者が写真プリントの注文を行う際に、その写真プリントの仕上がり予定時刻に関する情報を送信する条件を設定することができる。したがって、写真プリントの注文時に、その後の予定に合わせて所望の条件を設定することができるので、写真プリントの仕上がり予定時刻をより好適に通知することができる。
【００５３】
また、図３を用いて説明したように、本実施形態では、携帯端末装置４からプリント情報送信装置３に対して、写真プリントの仕上がり予定時刻に関する情報を送信する条件を設定することができる。したがって、例えば写真プリントの注文後に予定が変更になった場合のように、仕上がり予定時刻に関する情報を送信する条件を変更する必要が生じた場合であっても、携帯端末装置４から容易に当該条件を変更することができるので、利便性が向上する。
【００５４】
以上の実施形態では、注文者などが受付端末装置１又は携帯端末装置４を操作することにより入力された情報に基づいて、プリント情報送信装置３が送信タイミング又は送信先などの仕上がり予定時刻に関する情報を送信する条件を設定するような構成について説明したが、このような構成に限らず、他の情報に基づいて仕上がり予定時刻に関する情報を送信する条件を設定するような構成であってもよい。例えば、ＧＰＳを用いて注文者などが所持している携帯端末装置４の位置を特定し、その特定した位置に基づいてプリント情報送信装置３が送信タイミングなどを設定するような構成であってもよい。
【００５５】
また、以上の実施形態では、受付端末装置１及びプリント情報送信装置３が、それぞれ単独の装置として構成されている場合について説明したが、このような構成に限らず、例えばプリント情報送信装置３が受付端末装置１に組み込まれることにより、１つの装置として構成されていてもよい。
【図面の簡単な説明】
【００５６】
【図１】本発明の一実施形態に係るプリント情報通知システムの一例を示したブロック図である。
【図２】写真プリントの注文時に受付端末装置を用いて送信タイミング又は送信先に関する情報が入力される場合のプリント情報送信装置による処理の一例を示したフローチャートである。
【図３】携帯端末装置を用いて送信タイミング又は送信先に関する情報が入力される場合のプリント情報送信装置による処理の一例を示したフローチャートである。
【図４】送信タイミングとなったときのプリント情報送信装置による処理の一例を示したフローチャートである。
【符号の説明】
【００５７】
１    受付端末装置
２    プリント装置
３    プリント情報送信装置
４    携帯端末装置
５    通信回線
３１    操作部
３２    送信条件設定部
３３    通信部
３４    送信条件記憶部
３２１    送信タイミング設定部
３２２    送信先設定部
【図１】
2010102648.tif 000003
【図２】
2010102648.tif 000004
【図３】
2010102648.tif 000005
【図４】
2010102648.tif 000006